(57)【要約】【課題】  内容物を取り出す開口部及び上容器本体と下容器本体の嵌合構成を改良して気密性の高いカード状の振出容器を得ること【解決手段】  薄いトレイ状の上容器部材と下容器部材とを、これら上容器部材及び下容器部材の外周縁に連続状に突設された係合用突条の係合によって組み立ててなる気密性カード状振り出し容器であって、上容器部材のコーナー部を除く両側壁部及び略門型形状の摺り合わせ壁部材により上容器部材の切欠部を設け、下容器部材の側壁部に上容器部材の切欠部に対応するように、係合用突条を有する平面視Ｌ字状にして左右対称に設けた下容器摺り合わせ部材により下容器部材の切欠部を設け、上容器部材の略門型形状の摺り合わせ用壁部材と下容器摺り合わせ部材により開口部を設けて、下容器部材の切欠部にはヒンジ部を介してヒンジキャップを設け、開口部外壁とヒンジキャップの内面が摺り合わされるようにする。【選択図】  図１１
2011126605.tif 000002
【特許請求の範囲】
【請求項１】
薄いトレイ状の上容器部材と下容器部材とを、これら上容器部材及び下容器部材の外周縁に連続状に突設された係合用突条の係合によって組み立ててなる気密性カード状振り出し容器であって、
前記上容器部材のコーナー部を除く両側壁部及び略門型形状の摺り合わせ壁部材により上容器部材の切欠部を設け、前記下容器部材の側壁部に上容器部材の切欠部に対応するように、係合用突条を有する平面視Ｌ字状にして左右対称に設けた下容器摺り合わせ部材により下容器部材の切欠部を設け、
前記上容器部材の略門型形状の摺り合わせ用壁部材と前記下容器摺り合わせ部材により開口部を設けて
前記下容器部材の切欠部にはヒンジ部を介してヒンジキャップを設け、
前記開口部外壁と前記ヒンジキャップの内面が摺り合わされるようにしたことを特徴とする気密性カ−ド状振り出し容器。
【発明の詳細な説明】
【技術分野】
【０００１】
本発明は清涼用粒状物等を入れて小出し使用する密封性を向上させたカード状振り出し容器に関するものである。
【背景技術】
【０００２】
清涼用粒状物等を入れて小出し使用するための振り出し容器としては、例えば、特開平９−３１５４６８号公報に開示されているように、底部材と蓋部材とを内周側に突設させた複数のボスの凹凸嵌合によって組み立ててなるカードケースにおいて、底部材のコーナー部を除く側壁部の一部を該底部材と一体のヒンジキャップとし、該ヒンジキャップの両側面に設けた突起を底部材に設けた嵌合部に開閉自在に嵌合させたヒンジキャップ付きカードケースが従来から知られている。
【先行技術文献】
【特許文献】
【０００３】
【特許文献１】特開平９−３１５４６８号公報
【発明の概要】
【発明が解決しようとする課題】
【０００４】
しかしながら、底部材と一体のヒンジキャップを該ヒンジキャップの両側面に設けた突起を底部材に設けた嵌合部に開閉自在に嵌合させる構成では、金型構造に起因して嵌合部等に隙間が生じ、内容物が湿気やすいもの、例えば柑橘系の清涼錠菓等の内容物の振り出し容器として密閉性に劣っている。本発明は上記問題点に鑑みてなされたものであって、内容物を取り出す開口部及び上容器と下容器の嵌合構成を改良して密封性を高めるカード状振り出し容器を得ることを目的とするものである。
【課題を解決するための手段】
【０００５】
本発明は、以上のような課題を解決するため、次のような気密性カード状振り出し容器を提供するものである。すなわち、薄いトレイ状の上容器部材と下容器部材とを、これら上容器部材及び下容器部材の外周縁に連続状に突設された係合用突条の係合によって組み立ててなる気密性カード状振り出し容器であって、
上容器部材のコーナー部を除く両側壁部及び略門型形状の摺り合わせ壁部材により上容器部材の切欠部を設け、下容器部材の側壁部に上容器部材の切欠部に対応するように、係合用突条を有する平面視Ｌ字状にして左右対称に設けた下容器摺り合わせ部材により下容器部材の切欠部を設け、上容器部材の略門型形状の摺り合わせ用壁部材と下容器摺り合わせ部材により開口部を設けて、下容器部材の切欠部にはヒンジ部を介してヒンジキャップを設け、開口部外壁とヒンジキャップの内面が摺り合されるようにしたものである（実施例１参照）。
【発明の効果】
【０００６】
以上のように、本発明の請求項１のものによれば、薄いトレイ状の上容器部材と下容器部材とを、これら上容器部材及び下容器部材の外周縁に連続状に突設された係合用突条の係合によって組み立ててなるので、上容器部材と下容器部材の両者の端縁係合部には隙間がなくなり、容器本体の密閉性を高めることが可能になった。また、上容器部材のコーナー部を除く側壁部の一部であって、上容器部材の切欠部の摺り合わせのための開口部が設けられて該開口部と下容器部材にヒンジ部を介して形成されているヒンジキャップとが摺り合わせるようにしたので、簡単な構成で開口部の密閉性が得られる。
更に下容器部材の側壁部に上容器部材の切欠部に対応するように、係合用突条を有する平面視Ｌ字状にして左右対称に延設して下容器摺り合わせ部材としたので、開口部付近の密封性をより高めることが出来る。
【図面の簡単な説明】
【０００７】
【図１】本発明の第１実施例を示す全体斜視図
【図２】同じくＸ−Ｘ断面図
【図３】同じくＹ−Ｙ断面図
【図４】同じくＸ−Ｘ断面図の右側拡大図
【図５】同じくＹ−Ｙ断面図の左側拡大図
【図６】同じくヒンジキャップを開いた左側拡大図
【図７】同じくＺ−Ｚ拡大断面図
【図８】同じく上容器部材、下容器部材及びヒンジキャップの分解拡大斜視図
【図９】第１実施例の変形例１の左側拡大断面図
【図１０】同じくヒンジキャップを開いた左側拡大断面図
【図１１】同じく上容器部材、下容器部材及びヒンジキャップの分解拡大斜視図
【図１２】変形例２の左側拡大断面図
【図１３】同じくヒンジキャップを開いた左側拡大断面図
【図１４】同じく上容器部材、下容器部材及びヒンジキャップの分解拡大斜視図
【図１５】変形ヒンジ部の左側拡大断面図
【図１６】同じくヒンジキャップを開いた左側拡大断面図
【発明を実施するための形態】
【０００８】
以下、本発明の実施の形態を図面に基づいて説明する。図１は本発明の第１実施例を示す全体斜視図、図２は同じくＸ−Ｘ断面図、図３は同じくＹ−Ｙ断面図、図４はＸ−Ｘ断面図の右側拡大図、図５は同じくＹ−Ｙ断面図の左側拡大図、図６は同じくヒンジキャップを開いた拡大断面図、図７は同じくＺ−Ｚ断面図の拡大図、図８は上容器部材、下容器部材及びヒンジキャップの分解拡大斜視図である。
【０００９】
まず、最初に、図１乃至図３を基に本発明の第１実施例を説明する。この図１乃至図３で示すように、本発明の気密性カード状振り出し容器（Ａ）は矩形の薄いトレイ状の上容器部材（１０）と、略同形の下容器部材（３０）とを組み立ててなるものであって、その下容器部材（３０）のコーナー部を除く側壁部（３１）の一部には、下容器部材（３０）と一体なヒンジキャップ（５０）が、薄肉の折り曲げ自在なヒンジ部（５１）を介して形成されている。これら上容器部材（１０）、下容器部材（３０）及びヒンジキャップ（５０）は、ポリプロピレン、ポリエチレン、ポリスチレン等の熱可塑性樹脂を用いて所定形状に成形することにより得ることができる。可動蓋の一例として図示するヒンジキャップ（５０）は、図１において振り出し容器の長辺側の側壁部に設けられている。
【００１０】
上容器部材（１０）と下容器部材（３０）には、図４乃至図７に示すように、前記各部材（１０）及び（３０）のほぼ外周縁にわたってそれぞれ係合用突条（１１）（３２）が連続して設けられており、これらの各々の係合用突条（１１）（３２）の係合によってカード状振り出し容器（Ａ）が組み立てられる。図に示した係合用突条（１１）は凸状部を、（３２）は凹状部を各々備えた例であるが、この形状に限定されるものではない。なお、必要に応じて前記係合用突条（１１）及び（３２）と併用してボスとピンを設けることにより、さらに容器の内容物充填時の組立性及び係合性が向上する。
【００１１】
このような係合構成により、従来のボスとピンとの嵌合とは異なり、容器が組み立てられた状態で上容器部材（１０）と下容器部材（３０）の両者の端縁係合部に隙間を無くし、密閉性を高めることが可能になった。なお、上容器部材（１０）及び下容器部材（３０）に連続して設けられた係合用突条（１１）及び（３２）に直交して補強用リブ（図示せず）を適宜間隔で複数設けることにより、振り出し容器の変形が確実に防止され、密閉性がより高まるものである。
【００１２】
図８に示すように、カード状振り出し容器（Ａ）の開口部（４０）は、上容器部材（１０）に設けられ、切欠部（１２）に突設された略門型形状の摺り合わせ用壁部（１４）とヒンジキャップ（５０）とが摺り合わせるように構成されている。このように、従来、密閉性の殆どなかったこの種カ−ド状振り出し容器の開口部を摺り合わせ構造に構成することで、密閉性を高めることが可能になった。
【００１３】
次に、開口部（４０）に構成された摺り合わせ用壁部材（１４）とヒンジキャップ（５０）の詳細を以下に説明する。上容器部材（１０）の側壁部（１３）は、ヒンジキャップ部分を除いて、内面、外面共に断面略四半円をなす円弧状とされている。上容器部材（１０）におけるヒンジキャップ部分は平面視で凹型に切り欠けられた切欠部（１２）であって、この切欠部（１２）の左右側壁部（１３ａ）（１３ａ）の側面略中央に係止用突起（１５）（１５）が垂直状に立設されている。また、正面視で切欠部（１２）の略中央で、左右側壁部（１３ａ）（１３ａ）の左右内側に等間隔の間隙を隔てて、しかも上容器部材（１０）の上面より一段低い位置に略門型形状の摺り合わせ用壁部材（１４）が上容器部材（１０）に一体に突設されている。そして、前記略門型形状の摺り合わせ用壁部材（１４）の両脚片（１４ａ）（１４ａ）の先端外面はテーパー状に形成されている（図８（イ）参照）。
【００１４】
下容器部材（３０）に薄肉の折り曲げ自在なヒンジ部（５１）を介して形成されているヒンジキャップ（５０）は、内周、外周共に断面略半円をなす円弧状とされ、上容器部材（１０）と下容器部材（３０）とが組み立てられてできたカード状振り出し容器（Ａ）の側壁部と略同じ外観となるようになっている。ヒンジキャップ（５０）の左右側壁部（５２）（５２）外面には係止用突起（５３）（５３）が立設され、ヒンジキャップ（５０）が閉時に前記上容器部材（１０）の左右側壁部（１３ａ）（１３ａ）に立設された係止用突起（１５）（１５）に係合してヒンジキャップ（５０）の係合動作を図るように構成されている。（５４）は振り出し容器（Ａ）の指掛け部である。また、下容器部材（３０）の側壁部（３１）の一部切欠部に、平面視で左右対称にＬ字型の下容器摺り合わせ部材（３３）（３３）が一体に設けられている。そして、前記下容器摺り合わせ部材（３３）（３３）の下端部（３３ａ）（３３ａ）は上記摺り合わせ用壁部材（１４）のテーパー状脚片（１４ａ）（１４ａ）先端と摺り合うように同じくテーパー状に構成されている（図８（ロ）参照）。
【００１５】
このような構成により、上容器部材（１０）の切欠部（１２）に突設された略門型形状の摺り合わせ用壁部材（１４）のテーパー状脚片（１４ａ）（１４ａ）が下容器摺り合わせ部材（３３）の下端部（３３ａ）（３３ａ）と摺り合わされ、両者が面接触されるので、開口部（４０）が密閉され、さらに、断面略半円弧状のヒンジキャップ（５０）のヒンジ部（５１）を除く三側辺（５０ａ）（５０ａ）（５０ｂ）内面が前記摺り合わせ用壁部材（１４）の外側面に摺り合わされるので、上容器部材（１０）及び下容器部材（３０）の略外周縁に設けられた係合用突条（１１）及び（３２）の係合と相まってカード状振り出し容器の気密性が得られた。
【００１６】
次に、上記第１実施例で説明した上容器部材の開口部に設けた摺り合わせ用壁部材と下容器部材に設けた摺り合わせ部材の変形例１を図９乃至図１１に基づいて説明する。図９は容器の左側拡大断面図、図１０は同じくヒンジキャップを開いた拡大断面図、図１１は上容器部材、下容器部材及びヒンジキャップ部材の分解拡大斜視図である。上容器部材（１１０）の傾斜状切欠部（１１２）に突設された摺り合わせ用壁部材（１１４）は略門型形状に形成され、上容器部材（１１０）の上面より一段低い位置に上容器部材（１１０）と一体に形成されている。（１１４ａ）（１１４ａ）は摺り合わせ用壁部材（１１４）に一体に設けられた脚片である。なお、（１１５）（１１５）は係止用突起である。開口部（１４０）は上容器部材（１１０）に設けられ、切欠部（１１２）に突設された略門型形状の摺り合わせ用壁部材（１１４）とヒンジキャップ（１５０）とが摺り合わされるように構成されている（図１１（イ）参照）。
【００１７】
下容器部材（１３０）に薄肉の折り曲げ自在なヒンジ部（１５１）を介して形成されているヒンジキャップ（１５０）は、内周、外周共に断面略半円をなす円弧状とされ、上容器部材（１１０）と下容器部材（１３０）とが組み立てられてできたカ−ド状振り出し容器の側壁部と略同じ外観となるようになっている。前記断面略半円弧状のヒンジキャップ（１５０）のヒンジ部（１５１）を除く三側辺（１５０ａ）（１５０ａ）（１５０ｂ）内面は前記摺り合わせ用壁部材（１１４）の外側面に摺り合わされる部材である。また、下容器部材（１３０）の側壁部（１３１）の一部切欠部には、平面視で左右対称にコ字状の下容器摺り合わせ部材（１３３）（１３３）が設けられている。そして、コ字状の下容器摺り合わせ部材（１３３）（１３３）の左右二側片によって形成される溝部（１３３ｃ）（１３３ｃ）は上部から下部に向けて傾斜状に形成されている（図１１（ロ）参照）。
【００１８】
このような構成により、上容器部材（１１０）の傾斜状切欠部（１１２）に突設された略門型形状の摺り合わせ用壁部材（１１４）の脚片（１１４ａ）（１１４ａ）と下容器部材（１３０）のコ字状の下容器摺り合わせ部材（１３３）（１３３）の左右二片によって形成される溝部（１３３ｃ）にヒンジキャップ（１５０）の三側片（１５０ａ）（１５０ａ）（１５０ｂ）が摺り合わされる。そして、断面略半円弧状のヒンジキャップ（１５０）のヒンジ部（１５１）を除く三側辺（１５０ａ）（１５０ａ）（１５０ｂ）内面が前記摺り合わせ用壁部材（１１４）の外側面に摺り合わされるので、開口部（１４０）が密閉され、上容器部材（１１０）及び下容器部材（１３０）のほぼ全周に設けられた係合用突条（１１１）及び（１３２）の係合と相まってカード状振り出し容器の気密性が得られた。
【００１９】
さらに、上記第１実施例で説明した上容器部材の開口部に構成された摺り合わせ用壁部材と下容器部材の摺り合わせ部材の変形例２を図１２乃至図１６に基づいて説明する。図１２は容器の左側拡大断面図、図１３は同じくヒンジキャップを開いた拡大断面図、図１４は上容器部材、下容器部材及びヒンジキャップ部材の分解拡大斜視図、図１５は変形ヒンジ部の左側拡大断面図、図１６は同じくヒンジキャップを開いた拡大断面図である。上容器部材（２１０）の切欠部（２１２）に突設された摺り合わせ用壁部材（２１４）は略門型形状に形成され、上容器部材（２１０）の上面より一段低い位置に一体に形成されている。なお、（２１５）（２１５）は係止用突起である。開口部（２４０）は上容器部材（２１０）に設けられ、切欠部（２１２）に突設された略門型形状の摺り合わせ用部材（２１４）とヒンジキャップ（２５０）とが摺り合わされるように構成されている（図１４（イ）参照）。
【００２０】
下容器部材（２３０）の側壁部（２３１）の一部切欠部には、平面視で左右対称にコ字状の下容器摺り合わせ部材（２３３）（２３３）が設けられている。そして、コ字状の下容器摺り合わせ部材（２３３）（２３３）の脚片（２３３ａ）（２３３ａ）下端部には階段状の切欠部（２３３ｂ）が設けられている。前記コ字状の下容器摺り合わせ部材（２３３）（２３３）の左右二片によって形成された溝部（２３３ｃ）（２３３ｃ）の下端部には、所定幅を有するサイドヒンジ（２３４）（２３４）を介してヒンジキャップ（２５０）が一体成型されている。そして、このヒンジキャップ（２５０）は内周、外周共に断面略半円をなす円弧状とされ、左右側壁部（２５２）（２５２）の内側に所定間隔を隔てて平行に摺り合わせ部材（２５３）（２５３）が一体成形されている。なお、（２５４）（２５４）は係止用突起、（２５５）は指掛け部である（図１４（ロ）参照）。図１５及び図１６に示すヒンジは、上記サイドヒンジ（２３４）（２３４）に示した形態の変形例であり、そのサイドヒンジ（２３４ａ）（２３４ａ）のヒンジ部（２５１ａ）（２５１ａ）はヒンジキャップ（２５０）寄りに設けられた構成にある。
【００２１】
このような構成により、上容器部材（２１０）の切欠部（２１２）に突設された略門型形状の摺り合わせ用壁部材（２１４）の外側面はヒンジキャップ（２５０）の摺り合わせ部材（２５３）（２５３）の内面及びヒンジキャップ上部の内面（２５３ａ）に摺り合わされ、同じく下容器摺り合わせ部材（２３３）（２３３）の脚片（２３３ａ）（２３３ａ）下端部に設けられた階段状の段部（２３３ｂ）先端には、ヒンジキャップ（２５０）下部の内面（２５３ｂ）が摺り合わされるので、両者の摺り合わせによって開口部（２４０）が密閉され、上容器部材（２１０）及び下容器部材（２３０）の略全周縁に設けられた係合用突条（２１１）と（２３２）の係合と相まって、カード状振り出し容器の気密性が得られた。
【００２２】
上記実施例の説明において、振り出し容器の形状を矩形状の例で説明したが、この形状に限定されるものではなく、多角形状にも適用でき、また、開口部、可動蓋、或いは摺り合わせ用壁部材等は上容器部材或いは下容器部材の何れに設けてもよく、さらに可動蓋は側壁の長辺、短辺の何れに設けてもよく、適宜設計変更可能なものである。
【００２３】
以上に述べたように、本発明は、カード状振り出し容器であって、上容器部材と下容器部材の各部材のほぼ外周縁に係合用突条を設けて両者を係合させるように構成したので、従来のようにボスとピンとの嵌合とは異なり、両者の端縁係合部に隙間を無くし、容器全体の密閉性を高めることができ、外気の影響を受けることが非常に少ない振り出し容器を得られた。また、上容器部材または下容器部材の少なくとも何れか一方に開口部を、他方に可動蓋を設けて一体成形したので、部品点数が少なく、低コストで組み立て性に優れた振り出し容器が得られる。また、前記上容器部材または下容器部材に設けられた開口部または可動蓋の何れか一方に開口部を密閉する摺り合わせ用壁部材を設けたので、開口部または可動蓋の周縁の何れかに摺り合わされ、面接触するので確実に密閉され、開口部の気密性が高く保持され、しかも上容器と下容器の隙間のない嵌合構成と相まって気密性のカード状振り出し容器が得られた。さらに、容器の形状、或いは容器の部位を問わず開口部、可動蓋、摺り合わせ用壁部材等を適宜設けることができるので、内容物や求められる使用形態に合わせて随時設計可能である。このようにして得られた気密性の振り出し容器は、水蒸気バリア性を向上させ、湿気やすい内容物にも対応可能となり、特に柑橘系の清涼錠菓等を収納することで、内容物の長期間の保存にも耐え、商品価値の高いカード状振り出し容器として市場に供給されるものである。
【符号の説明】
【００２４】
Ａ カードケース
１０ 上容器部材
１１ 係合用突条
１２ 切欠部
１３ 側壁部
１４ 摺り合わせ用壁部材
３０ 下容器部材
３１ 側壁部
３２ 係合用突条
３３ 下容器摺り合わせ部材
４０ 開口部
５０ 可動蓋（ヒンジキャップ）
５１ ヒンジ部
５２ 左右側壁部
【図１】
2011126605.tif 000003
【図２】
2011126605.tif 000004
【図３】
2011126605.tif 000005
【図４】
2011126605.tif 000006
【図５】
2011126605.tif 000007
【図６】
2011126605.tif 000008
【図７】
2011126605.tif 000009
【図８】
2011126605.tif 000010
【図９】
2011126605.tif 000011
【図１０】
2011126605.tif 000012
【図１１】
2011126605.tif 000013
【図１２】
2011126605.tif 000014
【図１３】
2011126605.tif 000015
【図１４】
2011126605.tif 000016
【図１５】
2011126605.tif 000017
【図１６】
2011126605.tif 000018